(57)【要約】【課題】複数の製造工程を経て製造される製品の各製造工程で行われる部材や製造物の情報読み取り作業回数を少なくする。【解決手段】このトレーサビリティ管理システムのトレーサビリティ管理サーバ２は、製造管理サーバ１から受け取った工程トレーサビリティ情報から、いままでの製造工程で製造された製造物を構成する部材および組付部材どうしの関係を示す製造物構成情報４２と、組付部材に取り付けられたタグナンバーとその組付部材の品番と製造番号とを対応付けた工程間連携情報４１とを生成する連携処理部２２を備える。連携処理部２２は、製造物構成情報４２に含まれていたタグナンバーを、予め記憶しておいた前工程の工程間連携情報４１から、組み付け部材の品番と製造番号に置き換えて製造物構成情報４０を生成し、製品別構成部材製造情報としてデータベース２３に保存する。【選択図】図２
2008299721.tif 000002
【特許請求の範囲】
【請求項１】
複数の製造工程を経て製造される製品の各製造工程の作業台に供給された部材のうち、前記製造工程で実際に組み付けられる部材識別情報、ロット単位の部材ロット情報、前記部材に取り付けられていたタグ識別情報と、前記部材を組み付けた製造物識別情報と、前記製造物に取り付けられるタグ識別情報と、前記作業台の識別情報を読み取る読取手段と、
各作業台に供給された部材の製造番号および部材番号を含む投入部材情報が作業台識別情報に対応して記憶された作業台管理テーブルと、
前記製品に使用されている前記部材、および前記部材から製品を特定するための製品別構成部材製造情報が記憶可能なデータベースと、
前記製品を構成する前記部材および前記製造物の識別番号を記憶する製造物構成情報記憶部と、
前記読取手段により前記製造物のタグ識別情報が読み取られた場合、前記製造物の新たな製造番号を発番する発番部と、
前記読取手段により読み取られた部材識別情報、部材ロット情報、製造物識別情報、タグ識別情報をキーにして、前記作業台管理テーブルおよび前記製造物構成情報記憶部から読み出した製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を生成する工程トレーサビリティ情報生成部と、
前記工程トレーサビリティ情報生成部により生成された工程トレーサビリティ情報から、いままでの工程で製造された前記製造物と前記製造物を構成する部材および組付部材どうしの関係を示す製造物構成情報と、前記組付部材に取り付けられたタグの識別情報とその組み付け部材の識別情報と製造番号とを対応付けた工程間連携情報とを生成する連携部と、
前記連携部により生成された製造物構成情報の中に含まれていたタグ識別情報をキーにして予め記憶しておいた前工程の工程間連携情報から組付部材の識別情報と製造番号を読み出し、前記製造物構成情報の中のタグ識別情報を置き換え、その情報を前記データベースに記憶する置換部と
を具備することを特徴とするトレーサビリティ管理システム。
【請求項２】
複数の製造工程を経て製造される製品の各製造工程毎に製造物の情報を管理する製造管理サーバより前記製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を受信する通信インターフェースと、
前記製品に使用されている前記部材、および前記部材から製品を特定するための製品別構成部材製造情報が記憶可能なデータベースと、
前記通信インターフェースにより受信された工程トレーサビリティ情報に含まれていたタグ識別情報をキーにして予め記憶しておいた前工程の工程間連携情報から組付部材の識別情報と製造番号を読み出し、前記製造物構成情報の中のタグ識別情報を置き換え、その情報を前記データベースに記憶する連携処理部と
を具備することを特徴とするトレーサビリティ管理サーバ。
【請求項３】
複数の製造工程を経て製造される製品の各製造工程の各作業台に供給された部材の製造番号および部材番号を含む投入部材情報を作業台識別情報に対応させて作業台管理テーブルに記憶する一方、前記製品を構成する前記部材および前記製造物の識別番号を製造物構成情報記憶部に記憶するステップと、
前記作業台に供給された部材のうち、前記製造工程に投入された部材の部材識別情報、ロット単位の部材ロット情報、前記部材に取り付けられていたタグ識別情報と、前記部材を組み付けた製造物識別情報と、前記製造物に取り付けられるタグ識別情報と、前記作業台の識別情報とを読み取るステップと、
前記製造物のタグ識別情報が読み取られた場合、前記製造物の新たな製造番号を発番するステップと、
読み取られた部材識別情報、部材ロット情報、製造物識別情報、タグ識別情報をキーにして、前記作業台管理テーブルおよび前記製造物構成情報記憶部から読み出した製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を生成するステップと、
生成された工程トレーサビリティ情報から、いままでの工程で製造された前記製造物を構成する部材および組付部材どうしの関係を示す製造物構成情報と、前記組付部材に取り付けられたタグの識別情報とその組み付け部材の識別情報と製造番号とを対応付けた工程間連携情報とを生成するステップと、
生成された製造物構成情報の中に含まれていたタグ識別情報をキーにして予め記憶しておいた前工程の工程間連携情報から組付部材の識別情報と製造番号を読み出し、前記製造物構成情報の中のタグ識別情報を置き換え、その情報をデータベースに記憶するステップと
を有することを特徴とするトレーサビリティ管理方法。
【請求項４】
トレーサビリティ管理サーバを、
複数の製造工程を経て製造される製品の各製造工程毎に製造物の情報を管理する製造管理サーバより前記製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を受信する通信インターフェースと、
前記製品に使用されている前記部材、および前記部材から製品を特定するための製品別構成部材製造情報が記憶可能なデータベースと、
前記通信インターフェースにより受信された工程トレーサビリティ情報に含まれていたタグ識別情報をキーにして予め記憶しておいた前工程の工程間連携情報から組付部材の識別情報と製造番号を読み出して前記製造物構成情報の中のタグ識別情報を置き換え、その情報を前記データベースに記憶する連携処理部
として機能させることを特徴とするトレーサビリティ管理プログラム。
【発明の詳細な説明】
【技術分野】
【０００１】
本発明は、例えばトレーサビリティ管理システム、トレーサビリティ管理装置、トレーサビリティ管理方法、トレーサビリティ管理プログラムに関する。
【背景技術】
【０００２】
一般の製造業では、生産効率と在庫圧縮を考慮し、共通利用できる部材（部材）はまとめて製造する、いわゆる押出し生産方式を採用して在庫し、多品種少量受注となるユニットや製品についてはかんばん生産方式（引張り方式）で製造する等、ＴＯＣを考慮し製造物に応じて様々な生産方式を組み合わせて生産している。
【０００３】
また、製造物を複数の工程を経て製造する場合に、複数の工程の中の一部の工程を協力会社に委託する、同時に製造した製造物の一部を在庫する等、物流を含めた複雑な生産形態となっていることも多い。
【０００４】
従来、「かんばん生産方式（引張り方式）」で製造物が全て次工程に使用されるときに、部材、材料、製品などの製造時間と使用時間とを１対１に関係付けることで、互いに対応関係にある部材、材料、製品を迅速かつ容易に特定するようにした技術がある（例えば特許文献１参照）。
【０００５】
また、基板等の製造品識別番号が付与された製造物が一つの連続したラインを動く生産工程について製造開始時刻および製造終了時刻を製造品識別情報および製造装置識別情報に対応付けて製造実績情報として記憶しておき、これら時刻情報から製造品の製造ロットをトレースするようにした技術がある（例えば特許文献２参照）。
【特許文献１】特開２００５−３１６８２６公報
【特許文献２】特開２００６−６５８４１公報
【発明の開示】
【発明が解決しようとする課題】
【０００６】
上記のように、製造物と部材（部材）の製造ロットの関係付け情報を時間の関係で作成するには、以下の問題がある。
【０００７】
特許文献２の技術のように、部材の使用開始時間、使用終了時間と製造物の製造開始時間、製造終了時間を採取する方法では、短時間に大量の製造物を手作業で作成する場合、各製造物に対し、製造開始時間、製造終了時間を読み込む必要があり、工数増が大きくなり製造原価に与える影響が大きくなる。
【０００８】
上記の対策として製造物をロット管理とした場合、製造物と部材品の製造ロットの関係がロット対ロットの関係となり、同一製造物ロットの途中で部材ロットが変わる及び同一部材ロットの途中で製造物ロットが変わることにより、各工程で複数の親子関係が生じ、多層の工程になると使用部材が最終製品に使用されている可能性のある範囲が倍々で広がる。つまり、不具合発生時の不具合製品に使用されている部材の製造（ロット）番号の特定、及び不具合部材が使用されている製品の特定の両方の特定範囲が広がる。したがって、製造物は出来るだけ個体管理する必要がある。
【０００９】
また、同時に製造した製造物の一部を在庫する、また別工程に使用する等複雑な生産方式では、特許文献１の技術のような製造時間と使用時間との１対１の関係付けができなくなる。
【００１０】
さらに、製造物を個体管理し、次工程で部材として使用する場合、次工程の製造物と個体管理している製造物（次工程の部材品）の製造ロットを関係付けるために製造時に部材品に品番や製造（ロット）番号を示すバーコードなどを直接貼付ける及び次工程で貼付けられたバーコードから品番や製造（ロット）番号読取る必要があるが、この場合、以下の問題がある。
【００１１】
第一に、部材品の形状（小さい、変形する等）によってはバーコード等のＩＤ番号の貼付けが困難な物がある。
第二に、製造場所毎にバーコードプリンタ等の出力機器が必要となる。
第三に、次工程で個々の部材に貼付けられているバーコードをそのまま読取るため、形状によっては読取りに時間がかかる。
【００１２】
本発明はこのような課題を解決するためになされたもので、トレーサビリティ管理のため、製造物作成時に製造物と部材の製造番号または製造ロットの関係付け情報を作成するために各製造工程で行われる部材や製品の情報読取り作業の回数を少なくし、製造工程における作業工数を削減することのできるトレーサビリティ管理システム、トレーサビリティ管理装置、トレーサビリティ管理方法、トレーサビリティ管理プログラムを提供することを目的とする。
【課題を解決するための手段】
【００１３】
上記の課題を解決するために本発明のトレーサビリティ管理システムは、複数の製造工程を経て製造される製品の各製造工程の作業台に供給された部材のうち、前記製造工程で実際に組み付けられる部材識別情報、ロット単位の部材ロット情報、前記部材に取り付けられていたタグ識別情報と、前記部材を組み付けた製造物識別情報と、前記製造物に取り付けられるタグ識別情報と、前記作業台の識別情報を読み取る読取手段と、各作業台に供給された部材の製造番号および部材番号を含む投入部材情報が作業台識別情報に対応して記憶された作業台管理テーブルと、前記製品に使用されている前記部材、および前記部材から製品を特定するための製品別構成部材製造情報が記憶可能なデータベースと、前記製品を構成する前記部材および前記製造物の識別番号を記憶する製造物構成情報記憶部と、前記読取手段により前記製造物のタグ識別情報が読み取られた場合、前記製造物の新たな製造番号を発番する発番部と、前記読取手段により読み取られた部材識別情報、部材ロット情報、製造物識別情報、タグ識別情報をキーにして、前記作業台管理テーブルおよび前記製造物構成情報記憶部から読み出した製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を生成する工程トレーサビリティ情報生成部と、前記工程トレーサビリティ情報生成部により生成された工程トレーサビリティ情報から、いままでの工程で製造された前記製造物を構成する部材および組付部材どうしの関係を示す製造物構成情報と、前記組付部材に取り付けられたタグの識別情報とその組み付け部材の識別情報と製造番号とを対応付けた工程間連携情報とを生成する連携部と、前記連携部により生成された製造物構成情報の中に含まれていたタグ識別情報をキーにして予め記憶しておいた前工程の工程間連携情報から組付部材の識別情報と製造番号を読み出し、前記製造物構成情報の中のタグ識別情報を置き換え、その情報を前記データベースに記憶する置換部とを具備することを特徴とする。
【００１４】
本発明のトレーサビリティ管理サーバは、複数の製造工程を経て製造される製品の各製造工程毎に製造物の情報を管理する製造管理サーバより前記製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を受信する通信インターフェースと、前記製品に使用されている前記部材、および前記部材から製品を特定するための製品別構成部材製造情報が記憶可能なデータベースと、前記通信インターフェースにより受信された工程トレーサビリティ情報に含まれていたタグ識別情報をキーにして予め記憶しておいた前工程の工程間連携情報から組付部材の識別情報と製造番号を読み出し、前記製造物構成情報の中のタグ識別情報を置き換え、その情報を前記データベースに記憶する連携処理部とを具備することを特徴とする。
【００１５】
本発明のトレーサビリティ管理方法は、複数の製造工程を経て製造される製品の各製造工程の各作業台に供給された部材の製造番号および部材番号を含む投入部材情報を作業台識別情報に対応させて作業台管理テーブルに記憶する一方、前記製品を構成する前記部材および前記製造物の識別番号を製造物構成情報記憶部に記憶するステップと、前記作業台に供給された部材のうち、前記製造工程に投入された部材の部材識別情報、ロット単位の部材ロット情報、前記部材に取り付けられていたタグ識別情報と、前記部材を組み付けた製造物識別情報と、前記製造物に取り付けられるタグ識別情報と、前記作業台の識別情報とを読み取るステップと、前記製造物のタグ識別情報が読み取られた場合、前記製造物の新たな製造番号を発番するステップと、読み取られた部材識別情報、部材ロット情報、製造物識別情報、タグ識別情報をキーにして、前記作業台管理テーブルおよび前記製造物構成情報記憶部から読み出した製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を生成するステップと、生成された工程トレーサビリティ情報から、いままでの工程で製造された前記製造物を構成する部材および組付部材どうしの関係を示す製造物構成情報と、前記組付部材に取り付けられたタグの識別情報とその組み付け部材の識別情報と製造番号とを対応付けた工程間連携情報とを生成するステップと、生成された製造物構成情報の中に含まれていたタグ識別情報をキーにして予め記憶しておいた前工程の工程間連携情報から組付部材の識別情報と製造番号を読み出し、前記製造物構成情報の中のタグ識別情報を置き換え、その情報をデータベースに記憶するステップとを有することを特徴とする。
【００１６】
本発明のトレーサビリティ管理プログラムは、トレーサビリティ管理サーバを、複数の製造工程を経て製造される製品の各製造工程毎に製造物の情報を管理する製造管理サーバより前記製造物に使用される部材の製造番号および前記部材に取り付けられていた使用部材取付タグ識別情報と、前記製造物に取り付けられた前記タグ識別情報とを、前記発番部により発番された前記製造物の製造番号に対応付けた工程トレーサビリティ情報を受信する通信インターフェースと、前記製品に使用されている前記部材、および前記部材から製品を特定するための製品別構成部材製造情報が記憶可能なデータベースと、前記通信インターフェースにより受信された工程トレーサビリティ情報に含まれていたタグ識別情報をキーにして予め記憶しておいた前工程の工程間連携情報から組付部材の識別情報と製造番号を読み出し、前記製造物構成情報の中のタグ識別情報を置き換え、その情報を前記データベースに記憶する連携処理部として機能させることを特徴とする。
【発明の効果】
【００１７】
本発明によれば、トレーサビリティ管理のため、製造物作成時に製造物と部材の製造番号または製造ロットの関係付け情報を作成するために各製造工程で行われる部材や製品の情報読取り作業の回数を少なくし、製造工程における作業工数を削減することができる。
【発明を実施するための最良の形態】
【００１８】
以下、本発明の実施の形態について図面を参照しながら説明する。図１は本発明の実施形態に係るトレーサビリティ管理システムの構成を示すブロック図、図２はトレーサビリティ管理システムの各サーバの構成を示すブロック図である。
【００１９】
図１に示すように、このトレーサビリティ管理システムは、各工程毎に配置されたバーコードリーダ４（以下「BCリーダ４」と称す）、RFIDリーダ５およびQRコードリーダ６等の読取手段と、これら読取手段により工程毎に読み取られた製造管理情報（製造品質情報と工程トレーサビリティ情報）を収集しデータベースに記憶して管理する複数の製造管理サーバ１と、これらの複数の製造管理サーバ１から各工程の工程トレーサビリティ情報を収集し、収集した情報の連携処理（結合処理）を行い、製品別の構成部材製造情報をトレーサビリティ情報管理用のデータベースに記憶し、製造物および部材のトレーサビリティを可能とするトレーサビリティ管理サーバ２と、ユーザが製造物および部材について、トレースフォワードまたはトレースバックして検索するための検索用端末３とを例えばＬＡＮなどのネットワークに接続して構成されている。
【００２０】
図２に示すように、ある製造物について、例えば加工工程（第１工程）、サブユニット組立工程（第２工程：中間工程）、ユニット組立工程（第３工程：中間工程）、製品組立工程（第４工程：最終工程）などの工程があるものとする。この場合、各工程に製造管理サーバ１が設けられている。
【００２１】
製造管理サーバ１には、工程トレーサビリティ情報生成部１１と、工程トレーサビリティ情報データベース１２と、インターフェース１３、発番部１４（図１２参照）が備えられている。製造管理サーバ１は、複数の製造工程を経て製造される製品の各工程毎に製造物の情報を管理する装置である。
【００２２】
各製造管理サーバ１の工程トレーサビリティ情報生成部１１で作成された工程トレーサビリティ情報がインターフェース１３によりトレーサビリティ管理サーバ２に渡される。
【００２３】
トレーサビリティ管理サーバ２には、インターフェース２１と、工程トレーサビリティ情報の連携処理部２２と、トレーサビリティ情報データベース２３とを備えている。
トレーサビリティ管理サーバ２では、各工程毎の製造管理サーバ１から受信された工程トレーサビリティ情報が連携処理部２２により工程トレーサビリティ情報についての連携処理が行われる。
【００２４】
インターフェース２１は、製造管理サーバ１より製造物に使用される部材の製造番号および部材に取り付けられていた使用部材取付タグナンバーと、製造物に取り付けられた製造物取付タグナンバーとを、発番部１４により発番された製造物の製造番号に対応付けた工程トレーサビリティ情報を受信する通信インターフェースである。
【００２５】
連携処理部２２は、工程トレーサビリティ情報生成部１１により生成された工程トレーサビリティ情報から、いままでの工程で製造された製造物を構成する部材および組付部材どうしの関係を示す製造物構成情報４２と、組付部材に取り付けられたタグの識別情報とその組み付け部材の識別情報と製造番号とを対応付けた工程間連携情報４１とを生成する連携部として機能する。
【００２６】
連携処理部２２は、生成された製造物構成情報４２の中に含まれていたタグナンバーをキーにして予め記憶しておいた前工程の工程間連携情報４１から組付部材の部材番号（部材の識別情報）と製造番号とを読み出し、製造物構成情報４２の中のタグナンバーを部材番号と製造番号に置き換えることで製造物構成部材情報４０を生成し、生成した製造物構成部材情報４０をトレーサビリティ情報データベース２３に記憶する置換部として機能する。
【００２７】
検索用ＰＣ３には、トレースバック検索部３１、トレースフォワード検索部３２などが設けられている。
検索用ＰＣ３では、トレースバック検索部３１がトレーサビリティ管理サーバ２にアクセスし、トレーサビリティ情報データベース２３を参照し、トレースバック検索（不具合製品に使用されている部材の製造番号の特定）を行う。
トレースフォワード検索部３２は、トレーサビリティ管理サーバ２にアクセスし、トレーサビリティ情報データベース２３を参照し、トレースフォワード検索（不具合部材が使用されている製品の特定）を行う。
【００２８】
これにより、ある製品またはある製造物に不具合が発生した場合、トレースバック検索により不具合の発生した部材の製造番号（ロット番号）を特定し、さらに特定した部材の製造番号（ロット番号）から、トレースフォワード検索により不具合部材を使用している全ての製品を特定することができる。
【００２９】
（第１動作例）
以下、図３〜図１０を参照してこのトレーサビリティ管理システムの第１動作例を説明する。図３は各工程で製造物を作成したときの作業フローを示す図である。なお、この例では、各工程に複数の作業台が設けられており、各作業台で複数の製品番号（以下「品番」と称す）の製造物を作成するような製造形態について説明する。各作業台には、作業台ナンバーを示すバーコードが印刷されたラベルが貼られており、また作業台の棚には、本日この作業台で製造する製造物の品番を示すバーコードが印刷された製造物製造指示リスト（ラベルと類似するもの）が置かれているものとする。
【００３０】
各作業台で作業する作業者は、作業開始時に、BCリーダ４を作業台に貼り付けられたラベルにかざして作業台ナンバーを読み取らせてシステムに入力する（図３のステップＳ１０１）。ここでシステムとはBCリーダ４とＬＡＮを介して接続されている製造管理サーバ１を指す。
【００３１】
続いて、作業者は、BCリーダ４を製造物製造指示リストにかざして、その作業台でこれから製造する製造物の品番を読み取らせてシステムに入力し（ステップＳ１０２）、その後、作業を開始する（ステップＳ１０３）。
【００３２】
作業中に、ロット管理している使用部材（例えば袋や箱に入ったネジや束になったコードなど）が無くなった場合（ステップＳ１０４のＮ）、新たなロットの部材を作業台に投入するため、その部材の袋や箱に貼られたラベルに印刷されているロット番号のバーコードをBCリーダ４で読み取り、その部材の品番と製造番号（ロット管理品の場合はロット番号）をシステムに入力した後（ステップＳ１０５）、新たなロットの部材を作業台に投入する（ステップＳ１０６）。
【００３３】
予め前工程で作成されたシリアル（個体）管理されている部材または部材（以下「使用部材」と称す）については、本工程で、使用部材取付タグを使用部材から取り外して（ステップＳ１０７）、まとめて箱に入れ、複数のタグのタグナンバーをRFIDリーダ５で一度に読み取るものとする（ステップＳ１０８）。
【００３４】
このような使用部材を前工程で製造するときに製造物の形状に応じた任意のタグ（RFIDＩＣチップを埋め込んだクランプ部材等）またはラベルを選定し、製造物とタグの固有番号（システム内で重複しない番号）を関係付けてシステムに記憶させると共に、関係付けられたタグがその工程の製造物（本工程の使用部材）に取付けられている。
【００３５】
本工程で、作業者が使用部材を組み付け（ステップＳ１０９）、作業が進んで製造物が一つ完成すると（ステップＳ１１０）、製造物に取り付けるタグを本工程用のタグの箱の中から一つ選定する。選択したタグを箱から取り出してＲＦＩＤリーダ５にかざして、ＲＦＩＤリーダ５によりそのタグのＩＤ（タグ固有の識別情報）を読取らせ、システムに入力した後（ステップＳ１１１）、そのタグを製造物に取付ける（ステップＳ１１２）。以降、前述の手順で製造物全数の製造が完了するまで作業を繰り返す（ステップＳ１１３，Ｓ１１４）。
【００３６】
図４は本発明の実施例における各工程で製造物作成時の製造管理サーバ１の処理を示すフローチャートであり、図５乃至図８は製造管理サーバ１に設けられる各種情報管理テーブルを示す図である。
【００３７】
作業開始時に、作業者によってBCリーダ４が作業台のラベルにかざされて、BCリーダ４により作業台ナンバーが読み取られて、製造管理サーバ１に入力される（図４のステップＳ２０１）。製造管理サーバ１では、工程トレーサビリティ情報生成部１１が、作業台ナンバーをキーにして作業台管理テーブル１７を検索し、該当作業台ナンバーの投入部材情報を読み込む（ステップＳ２０２）。
作業台管理テーブル１７には、図７に示すように、作業台毎に投入されている部材の投入部材情報が記憶されている。投入部材情報は、この作業台で製造すべきすべての製造物の部材の品番と製造番号とを対応付けた情報である。ある製造物を製造する際は、作業台に投入されている部材の中のいくつかの部材が使用される。
【００３８】
次に、作業者がBCリーダ４を製造物製造指示リストにかざして、その作業台でこれから製造する製造物の品番を読み取らせると、その製造物の品番が製造管理サーバ１に入力される（ステップＳ２０３）。
すると、工程トレーサビリティ情報生成部１１は、入力された製造物の品番をキーにして製造物構成部材管理テーブル１６の製造物構成部材情報を読み込む（ステップＳ２０４）。
製造物構成部材管理テーブル１６には、図５に示すように、製造物の品番に対応づけてその製造物を製造するための構成部材情報が記憶されている。構成部材情報は、部材の品番と使用数とを対応付けた情報である。
【００３９】
作業中にロット管理されている部材が作業台に無くなった場合は（ステップＳ２０５のＮ）、新たに作業台に投入する部材の袋や箱などに貼り付けられているラベルのバーコードをBCリーダ４で読み取ることで、新たなロットの部材番号と製造番号を工程トレーサビリティ情報生成部１１が読み込む（ステップＳ２０６）。
【００４０】
工程トレーサビリティ情報生成部１１に新たな部材の部材番号と製造番号が入力されると、工程トレーサビリティ情報生成部１１は、既にメモリに展開している作業台管理テーブル１７の投入部材情報欄の該当する部材番号の製造番号を登録（上書き更新）する（ステップＳ２０７）。つまり作業台管理テーブル１７の情報が書き換えられる。
【００４１】
さらに、RFIDリーダ５によって使用部材取付けタグナンバーが読み込まれると（ステップＳ２０８）、工程トレーサビリティ情報生成部１１は、読み込まれたタグナンバーを工程トレーサビリティ情報データベース１２の使用部材取付けタグナンバーの欄に登録する（ステップＳ２０９）。
【００４２】
最後に、部材を組み付けて完成した製造物に取付けるタグを、沢山のタグが入った箱から一つ取り出してRFIDリーダ５にかざしてそのタグのタグナンバーを読込ませると（ステップＳ２１０）、発番部１４が、図６に示す製造物品番別製造番号発番台帳１８を参照して既に製造した製造物の製造番号と重複しない新たな製造番号を発番し、入力されたタグナンバーと対応付けて、工程トレーサビリティ情報データベース１２に工程トレーサビリティ情報の新たなレコードとして登録する（ステップＳ２１１）。
製造物品番別製造番号発番台帳１８には、この工程にて製造された製造物の品番と発番された製造番号とが対応して記録される。
【００４３】
続いて、工程トレーサビリティ情報生成部１１は、製造物構成部材管理テーブル１６から、指定された製造物品番の構成部材の部材番号を検索し、該当する作業台管理テーブル１７の投入部材情報を工程トレーサビリティ情報の該当レコードの使用部材情報欄に登録する。これにより、図８に示すように、工程トレーサビリティ情報データベース１２の中に、工程トレーサビリティ情報１２ａの１つのレコードが完成する。
【００４４】
製造物全数の製造が完了したときに（ステップＳ２１２）、作業台に貼られたラベルの作業完了を示すバーコードをBCリーダ４にて読み取ることで、製造完了をシステムに入力する（ステップＳ２１３）。
【００４５】
製造管理サーバ１では、工程トレーサビリティ情報生成部１１が、製造完了の入力をトリガにして、工程トレーサビリティ情報データベース１２に記憶された工程トレーサビリティ情報をトレーサビリティ管理サーバ２へ送信する（ステップＳ２１４）。
【００４６】
続いて、図９、図１０を参照してトレーサビリティ管理サーバ２の動作を説明する。図９はトレーサビリティ管理サーバ２の工程トレーサビリティ情報連携処理を示すフローチャートであり、図１０はトレーサビリティ管理サーバ２で分離された工程間連携情報４１と各工程の製造物構成情報４２から生成される製造物構成部材情報４０を示す図である。
【００４７】
トレーサビリティ管理サーバ２では、各工程の製造管理サーバ１からの工程トレーサビリティ情報をインターフェース２１が受信すると（図９のステップＳ３０１）、その情報を連携処理部２２に渡す。
【００４８】
連携処理部２２は、受け取った工程トレーサビリティ情報を、図１０に示すように、工程間連携情報４１と製造物構成情報４２に分離して製造物構成部材情報４０を生成し、製造物構成情報４２についてはトレーサビリティ情報データベース２３に保存（記憶）し（ステップＳ３０２）、工程間連携情報４１は、メモリ上の一時ファイル（テンポラリファイル）として保持する。
すなわち、分離された工程間連携情報４１は、次工程の構成情報受け渡し用の参照データ（利用後、削除されるテンポラリー情報）としてメモリに記憶され、構成情報を受け渡した後、削除される。
【００４９】
工程間連携情報４１は、工程間連携に使用する取付タグナンバーと製造物情報（品番・製造番号）との関係情報である。製造物構成情報４２は、製造物の構成情報となる製造物情報（品番・製造番号）と各使用部材情報（使用部材取付タグナンバーまたは品番・製造番号）との親子関係を示す情報である。
【００５０】
連携処理部２２は、分離された製造物構成情報４２の中の使用部材情報に、使用部材取付タグナンバーが存在するか否かを確認する（ステップＳ３０３）。タグナンバーが存在した場合（ステップＳ３０３のＹ）、前工程の製造管理サーバ１から受信してメモリに保持しておいた工程間連携情報４１を参照して、そのタグナンバーを使用部材情報（品番・製造番号）に置換してその工程までの製造物構成部材情報４０として保存する（ステップＳ３０４）。
その後、連携処理部２２は、製造物構成情報４２を置換したときに利用した前工程の工程間連携情報４１をメモリ上から削除する（ステップＳ３０５）。
【００５１】
上記の連携処理の特徴をまとめると、以下のようになる。
［１］ロット管理されている部材については、部材投入時に作業台管理テーブル１７に製造番号を登録することで、その作業台に投入されている部材毎に部材番号と製造番号を記憶（事前準備）する。
［２］個体管理されている各使用部材のタグナンバーについては、各使用部材から取り外したタグナンバーをまとめてＲＦＩＤリーダ５にて読取る。
［３］その後、部材を組み付けた製造物に取付けるタグナンバーをＲＦＩＤリーダ５にて読取ったタイミングで、発番部１４が製造物の製造番号を発番し、発番後、工程トレーサビリティ情報生成部１１が、その製造物情報（品番・製造番号）と、読取った各使用部材のタグナンバー及び作業台に投入されている各部材の部材情報（使用部材取付タグナンバーまたは品番・製造番号）とを対応付けた工程トレーサビリティ情報を生成しトレーサビリティ管理サーバ２へ送信する。
［４］トレーサビリティ管理サーバ２では、受信した工程トレーサビリティ情報を連携処理部２２が工程間連携情報４１と製造物構成情報４２とに分離し、その製造物構成情報４２にタグナンバーがあった場合は前工程の工程間連携情報４１を参照して各使用部材の品番・製造番号に置換した上でその工程までの製造物構成部材情報４０として記憶する。
【００５２】
図１１は各工程の作業台で製造物を製造する際に製造管理サーバ１の処理で工程トレーサビリティ情報１２が作成されるまでの情報の流れを示す図である。
【００５３】
製造物の品番が入力されると、工程トレーサビリティ情報生成部１１により製造物構成部材管理テーブル１６の製造物構成情報が読み込まれる。製造物構成部材管理テーブル１６には例えば製造物（Ａ）に使用される構成部材情報（Ｘ，Ｙ，Ｚ）が管理されている。
【００５４】
投入する部材の部材番号及び製造番号が入力されると、工程トレーサビリティ情報生成部１１は、既に読み込まれていた作業台管理テーブル１７の投入部材情報の該当する部材番号の製造番号を更新（上書き）する。
具体的には、この例では、製造品Ａ６を製造した後に部材Ｙの情報がＹＯ⇒Ｙ１に更新され、製造品Ａ１１を製造した後に部材Ｚの情報がＺ０⇒Ｚ１に更新される。
【００５５】
また、個体管理されている使用部材（Ｘ）の取付けタグナンバー（Ｘ１〜Ｘ１６）が入力されると、工程トレーサビリティ情報生成部１１は、入力されたタグナンバーを工程トレーサビリティ情報１２ａの使用部材取付けタグナンバーの欄に登録する。
【００５６】
製造物取付タグナンバー（Ｔ１〜Ｔ１６）が入力されると、工程トレーサビリティ情報生成部１１は、入力されたタグナンバーを工程トレーサビリティ情報１２ａの製造物取付タグナンバーの欄に登録し、発番部１４が製造物品番別製造番号発番台帳１８を参照してその製造物の製造番号（Ａ１〜Ａ１６）を発番する。
発番後、発番部１４は、新たに発番した製造番号を製造物品番別製造番号発番台帳１８に登録する。続いて、工程トレーサビリティ情報生成部１１は、製造物構成部材管理テーブル１６の構成部材情報の部材番号を検索し、該当する作業台管理テーブル１７の投入部材情報を工程トレーサビリティ情報１２ａの使用部材情報の欄に登録し、工程トレーサビリティ情報の１レコードを完成する。
【００５７】
製造物取付タグナンバー（Ｔ１）を読み込んだときに作成される工程トレーサビリティ情報は、製造物取付タグナンバー（Ｔ１）、製造物（Ａ）、製造物の製造番号（Ａ１）、使用部材取付けタグナンバー（Ｘ１）、使用部材情報（部材Ｙ：ＹＯ、部材Ｚ：Ｚ０）となる。製造物取付タグナンバー（Ｔ２〜Ｔ１６）についても同様にして工程トレーサビリティ情報が作成される。
【００５８】
図１２は、初期工程である第１製造工程の製造管理サーバ１のデータ入力から工程トレーサビリティ情報を生成した後、トレーサビリティ管理サーバ２へデータを出力するための構成図、図１３は、第２製造工程の製造管理サーバ１において、入力されたデータから工程トレーサビリティ情報を生成した後、その情報をトレーサビリティ管理サーバ２へ出力するための構成図である。
【００５９】
図１２に示すように、第１製造工程の製造管理サーバ１は、工程トレーサビリティ情報生成部１１、工程トレーサビリティ情報データベース１２、発番部１４、製造物構成部材管理テーブル１６、作業台管理テーブル１７、製造物品番別製造番号発番台帳１８などを備えている。
【００６０】
発番部１４は、工程で製造された製造物に取り付けられるタグのタグナンバーが入力されたときに、製造物品番別製造番号発番台帳１８を参照してこの台帳に既に記録されている製造番号と重複しない新たな製造番号を発番する。通常、台帳に既に記録されている中の直前に記録された製造番号に＋１する形で新たな製造番号が発番される。
【００６１】
工程トレーサビリティ情報生成部１１は、BCリーダ4等の読取手段により読み取られた部材番号等の部材識別情報、部材のロット番号等の部材ロット情報、製造物の品番等の製造物識別情報、タグナンバー等のタグ識別情報をキーにして、作業台管理テーブル１７および製造物構成部材管理テーブル１６から読み出した製造物に使用される部材の製造番号および前記部材に取り付けられていた使用部材取付タグナンバーと、製造物に取り付けられたタグのタグナンバーとを、発番部１４により発番された製造物の製造番号に対応付けた工程トレーサビリティ情報を生成し、その工程において製造物の製造がすべて終了した時点で工程トレーサビリティ情報をトレーサビリティ管理サーバ２へ送信する。
【００６２】
工程トレーサビリティ情報データベース１２には、各工程から受信された工程トレーサビリティ情報が連携処理部２２により工程間連携処理された製造物構成部材情報４０（図１０参照）が保存される。第１製造工程では、最終的に製造物が製品となった場合は製造物構成部材情報４０が製品別構成部材製造情報（図２参照）となり工程トレーサビリティ情報データベース１２に保存される。
【００６３】
この第１製造工程の製造管理サーバ１では、入力されたデータと各管理テーブル１６，１７，１８から読み出した部材のデータとこの工程で製造される製造物に取り付けられる製造物取付タグナンバーとを対応付けた工程トレーサビリティ情報を工程トレーサビリティ情報生成部１１が生成しトレーサビリティ管理サーバ２へ送信する。
【００６４】
図１３に示すように、第２製造工程の製造管理サーバ１は、第１製造工程の製造管理サーバ１とほぼ同一の構成を有している。第２製造工程等のような中間工程の場合、工程トレーサビリティ情報データベース１２には、製造物取付タグナンバーに、前工程の製造物または部材の集合体（ユニット）を示す使用部材取付タグナンバーが含まれる場合がある。
【００６５】
図１４は、異なる工程の製造管理サーバ１から順に受信される工程トレーサビリティ情報をトレーサビリティ管理サーバ２が利用して連携処理を行い、処理結果をデータベースに保存するまでの流れを示す図である。
【００６６】
図１４に示すように、前工程（第１部材組立工程）で製造された製造物が次工程（第２部材組立工程）の一つの部材ユニット（組付部材）として使用される場合、前工程（第１部在組立工程）における工程トレーサビリティ情報の製造物取付タグナンバー５１は、次工程（第２部材組立工程）の製造物の子部材の一つである使用部材取付タグナンバー５２として読み込まれる。
【００６７】
トレーサビリティ管理サーバ２では、連携処理部２２が、受信した工程トレーサビリティ情報を、図１０に示した工程間連携情報４１と製造物構成情報４２に分離する。製造物構成情報４２にタグナンバーが含まれている場合、工程間連携処理を行うことでタグナンバーの部分を部材の品番と製造番号に置き換え、製造物構成部材情報４０を生成する。
すなわち、連携処理部２２は、製造物構成情報４２に含まれていたタグナンバーをキーに、前工程の工程間連携情報４１を参照して、製造物構成情報４２の使用部材取付タグナンバー５２を、製造物取付タグナンバーの構成要素の一つである品番（部材番号）と製造番号の組５３に置換することで、製造物と使用部材との親子関係情報を生成する。
【００６８】
図１５〜図１７は、図１４に示した工程間連携処理の具体例である。
図１５は、第１部材組立工程を示す図であり、ロット管理している部材（Ａ１〜Ａ１４）を使用部材として部材（Ｂ１〜Ｂ４）を製造し、製造した個々の部材Ｂに個体管理のタグナンバー（Ｔ−００１〜Ｔ−０３２）を取付け、それをシステムに入力することで製造物とタグナンバーとを対応させて工程トレーサビリティ情報データベース１２に記憶している。工程トレーサビリティ情報データベース１２に記憶された工程トレーサビリティ情報は、図７で示したように、そのままトレーサビリティ管理サーバ２へ送られる。
【００６９】
図１６は、第２部材組立工程を示す図であり、ロット管理している部材（Ａ１５〜Ａ１６）と前の第１部材組立工程で製造された製造物（Ｂ１〜Ｂ４）を使用部材の一つとして他の部材とともに組み付けることで、製造物（Ｃ１〜Ｃ２）を製造している。
この工程の製造管理サーバ１では、使用部材（Ｂ１〜Ｂ４）は前工程（第１部材組立工程）で取り付けた個体管理用のタグからRFIDリーダ５が読み取ったタグナンバー（Ｔ−００１〜Ｔ−０３２）が入力されるので、そのタグナンバー（Ｔ−００１〜Ｔ−０３２）とロット管理している部材（Ａ１５〜Ａ１６）とが共にトレーサビリティ管理サーバ２へ送られる。
【００７０】
トレーサビリティ管理サーバ２では、連携処理部２２が、受信されたタグナンバー（Ｔ−００１〜Ｔ−０３２）と前工程（第１部材組立工程）で製造された管理情報とを照合し、製造物（Ｃ１〜Ｃ２）と使用部材（Ｂ１〜Ｂ４）の関係にした情報に置換する。
【００７１】
図１７は、連携処理後にトレーサビリティ管理サーバ２で保存されている製造物（Ｃ１〜Ｃ２）の製品別構成部材製造情報（一つのトレーサビリティ情報）のイメージ図である。
この図１７では、品番と製造番号で各工程毎に製造物と使用部材の親子関係が対応付けられている。トレースバックする場合は、上位工程製造物情報から上位工程の使用部材情報を検索し、その使用部材情報をキーに下位工程の製造物情報を検索し、その製造物情報から下位工程の使用部材情報を検索する。これを繰り返す事により最下位までのトレースバックが可能となる。トレースフォワードする場合は下位工程の使用部材情報から製造物情報を検索し、その製造物情報から上位工程の使用部材情報を検索し、その使用部材情報から上位工程の製造物情報を検索する。これを繰り返す事により最上位の製造物までのトレースフォワードが可能となる。
【００７２】
また製造物（Ｃ１〜Ｃ２）を上位の工程で使用部材とする場合は、同様に取付けたタグ番号を読取り上位の製造物と関係付ける事が出来る様に製造物にタグ番号が関係付けられている。
【００７３】
図１８は図１７で説明した具体例を一般化したトレーサビリティ情報の一例を示す図である。
図１８に示すように、製造物と使用部材の親子関係を各前後工程毎に結合することで、製品から末端の構成部材までの親子関係が品番と製造番号で対応付けられる。
この親子関係情報により、製品に不具合があった場合、製品の製造番号から不具合部材の製造番号（製造ロット）の特定が可能となり、また不具合部材の製造番号（製造ロット）から使用されている製品の製造番号の特定が可能となる。
【００７４】
（第２動作例）
以下、図１９〜図２２を参照してこのトレーサビリティ管理システムの第２動作例を説明する。上記第１動作例では、製造物を個体（シリアル）管理する場合について説明したが、この第２動作例では、製造物をロット管理する場合について説明する。
【００７５】
本実施形態は、製造物がロット管理可能な場合に、各作業台毎に必要であったRFIDリーダ４等のＩＤ番号読取機器を各製造場所に１台だけ設置して機器の設置台数を削減し、各製造場所に１台だけ配置したRFIDリーダ４で複数のタグのタグナンバーをまとめて読み取ることでシステム構築コストを削減する。
【００７６】
図１９、図２０は製造物をロット管理する場合の各工程の作業フローを示す図である。
【００７７】
ある製造工程で製造物をロット管理する場合、作業者が製造物の製造を開始すると（図１９のステップＳ４０１）、まず作業中に作業台に投入されている部材を確認する（ステップＳ４０２）。
この確認の結果、投入されている部材が無い場合は（ステップＳ４０２の無）、作業者は資材置き場や棚等から必要な部材を作業台に投入し、その部材に貼られている部材ラベル（品番・製造番等が印字されたラベル）を保管する（ステップＳ４０３）。
【００７８】
このようにして製造物を完成させる作業を繰り返し行い（ステップＳ４０４）、製造ロットについて全数製造が完了すると（ステップＳ４０５のＹ）、今回の製造物のロット（例えば収納箱）に対して製造ロットタグを取付け、作業終了とする（ステップＳ４０６）。
【００７９】
続いて、作業終了後、集合読取場所で作業台ナンバーと製造物の品番とをBCリーダ４およびRFIDリーダ５で読み取ると共に（（図２０のステップＳ４１１，Ｓ４１２）、製造物ロット取付タグからタグナンバーを読み取る（ステップＳ４１３）。また作業中に部材を投入した場合は（ステップＳ４１４の有）、投入した部材の製造情報（品番・製造番号）を読み取る（ステップＳ４１５）。
【００８０】
上記のように作業工程を運用、つまり作業終了後に製造物と部材の製造情報をまとめて読み取ることで、作業中に個々の部材や製造物について一々読み取る必要が無くなり、作業工数を削減できる。また、製造部門１箇所にロット番号を読み取る機器（BCリーダ４およびRFIDリーダ５等）を利用するだけで、トレーサビリティ情報の収集及び管理が可能になる。
【００８１】
図２１は製造物をロット管理する場合の各工程の製造管理サーバ１の処理を示すフローチャートである。
【００８２】
製造管理サーバ１では、作業台ナンバーが入力されると（図２１のステップＳ５０１）、工程トレーサビリティ情報生成部１１は、作業台ナンバーをキーにして作業台管理テーブル１７を検索し、該当する情報（作業台に配置する部材の情報）を読み込み（ステップＳ５０２）、製造物の品番が入力されると（ステップＳ５０３）、製造物構成部材管理テーブル１６から指定された品番の製造物構成情報を読み込む（ステップＳ５０４）。
【００８３】
その後、製造物が完成し、製造物取付タグナンバーが入力されると（ステップＳ５０５）、発番部１４が製造物品番別製造番号発番台帳１８を参照して製造物の製造物ロット番号を発番する（ステップＳ５０６）。
【００８４】
工程トレーサビリティ情報生成部１１は、入力された製造物取付タグナンバー及び作業台管理テーブル１７に記憶されているその製造物の品番で使用する全ての部材情報（品番・製造番号）を工程トレーサビリティ情報データベース１２に登録する（ステップＳ５０７）。
【００８５】
その後、製造物を製造中、工程トレーサビリティ情報生成部１１は、作業台に部材が投入された場合（ステップＳ５０８の有）、投入された部材情報（品番・製造番号）を読み込んで（ステップＳ５０９）、工程トレーサビリティ情報に追加登録し（ステップＳ５１０）、工程トレーサビリティ情報の１レコードを完成させる。
【００８６】
また、工程トレーサビリティ情報生成部１１は、投入された部材情報（品番・製造番号）を作業台管理テーブル１７の該当欄に上書き、つまり作業台管理テーブル１７を書き換える（ステップＳ５１１）。
【００８７】
図２２は、製造物をロット管理する場合、各工程の製造管理サーバの処理によって、工程トレーサビリティ情報が作成されるまでの情報の流れを示す図である。 
図２２に示すように、製造物Ａのロットを製造する作業を開始するときの部材Ｘ，部材Ｙ、部材Ｚの部材製造ロット番号を（Ｘ０，Ｙ０，Ｚ０）とし、以降、各部材のロット番号を部材ロット管理テーブル１９で管理する。
【００８８】
製造物（Ａ１）の使用部材情報は、作業台管理テーブル１７の部材製造ロット番号（Ｘ０，Ｙ０，Ｚ０）と作業内で使用開始した使用部材製造ロット番号（Ｘ１）の足し算となり、途中から部材ロット管理テーブル１９の使用部材製造ロット番号は（Ｘ０，Ｘ１，Ｙ０，Ｚ０）となる。
【００８９】
製造開始当初、作業台管理テーブル１７の部材製造ロット番号は（Ｘ０，Ｙ０，Ｚ０）であったが、新たな製造物（Ａ２）のロットを製造する作業を開始するときに、前回のロットで使用を開始した部材製造ロット番号（Ｘ１）とこのロットの作業開始時に追加される部材製造ロット番号（Ｙ１）が入力されたため、これらのロット番号によってテーブルの内容が更新されて、部材製造ロット番号（Ｘ１，Ｙ１，Ｚ０）となる。
【００９０】
製造物（Ａ２）の使用部材情報は、作業台管理テーブル１７の使用部材製造ロット番号（Ｘ１，Ｙ１，Ｚ０）とこのロットの作業途中から使用開始した使用部材製造ロット番号（Ｘ２，Ｚ１）の足し算となり、最終的に部材ロット管理テーブル１９に記憶されている使用部材製造ロット番号は（Ｘ１，Ｘ２，Ｙ１，Ｚ０，Ｚ０）となる。
【００９１】
このようにこの実施形態のトレーサビリティ管理システムによれば、製造番号をシリアル（個体）管理する製造物の製造時に製造物の品番／製造番号と固有となるタグナンバー（システム内で重複しないＩＤ番号）を対応付けてシステムで管理する。
そして、シリアル（個体）管理する製造物には対応付けたタグナンバーを取り付け、後工程で取り付けたタグナンバーを読み取り、読取ったタグナンバーとシステムで管理している前工程の製造物（後工程の使用部材）の品番／製造番号との関係から使用部材の品番／製造番号を特定し、製造物と使用部材とのトレーサビリティ情報を作成する。
これにより、製造時の部材に取り付ける品番・製造番号のバーコード発行および貼付作業を固有ＩＤ番号取付作業を簡素化でき、製造物を部材として使用時の品番・製造番号のバーコード読取作業の回数を少なくすることができる。
【００９２】
また、製造物の品番／製造番号と固有となるＩＤ番号とを対応付けてシステムで管理することにより、製造物には次工程で読み込むための取り外し可能なタグを取り付けるだけで良くなる。
【００９３】
固有ＩＤ番号は部材から取り外して使用部材の取付けと分離して任意の場所で読取作業ができ、纏めて読み取ることにより作業効率を向上することができる。
RFID等のＩＣタグを利用する場合は、専用リーダで一括読取も可能となり更に作業効率が高くなる。またタグナンバー等の固有となるＩＤ番号（識別情報）を持つタグは、情報を読み出すだけの低コストタイプのものを利用できる。
【００９４】
また、タグは、製造物から取り外した後、情報の書き換え操作などを行うことなく再利用可能なため、製造番号管理のためのコストも削減できる。製造物が熟練者でないとできないものの場合は、他にタグの情報読み取りと情報入力を行う専任者を設けることで熟練者の作業を減らすことができる。
【００９５】
すなわち、色々な生産方式が混在する製造業において、複数の製造工程を経て製造物を順に製造し、製造物および部材の組み付け品である製品を最終的に作りあげる上で、トレーサビリティ管理のためのデータを作成するための製造物と部材とその製造番号やロット番号との関係付けを行うために各製造工程で行われる部材や製造物の情報読取り作業の回数を少なくし、製造工程における作業工数を削減することができる。
【００９６】
また、複数の製造工程を経て製造物を製造してゆく中で、各製造工程で生成される製造物のトレーサビリティ情報を工程間をまたいで簡易に連携させることができる。
【００９７】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。
【００９８】
例えば、実施形態に示される全構成要素から幾つかの構成要素を削除してもよい。さらに、異なる実施形態にわたる構成要素を適宜組み合わせてもよい。
【００９９】
（他のシステム構成例）
前述した実施形態では、工場の工程内について記載したが、他の例として、例えば部材メーカとその部材を使用する顧客（組立メーカ等）とのトレーサビリティ情報の受渡しの事例について説明する。
【０１００】
現状、部材メーカとその部材を使用する顧客（組立メーカ等）との間では、部材に品番や製造番号を記したラベルを貼り付けることによって部材製造情報（品番、製造番号）が受渡しされている。
しかし、部材に品番、製造番号を記載したラベルを貼り付けているだけでは、製造物に組み込まれた場合、外から見られなくなる場合がある。
【０１０１】
また、同じ製造条件で作られた部材に不具合があった場合、部材がどの製品に組み込まれているかを簡単に検索（トレースフォワード）するためには、製造物のトレーサビリティ情報を互いの会社で管理しておく必要があるといった問題がある。
【０１０２】
最近、製品に対するトレーサビリティ情報管理の重要性が高まっており、上記の対策として、部材についてもラベルに品番、製造番号を記載すると共に、品番、製造番号をコンピュータに取り込むためのＩＤコード（バーコード、ＱＲコード）を印刷している。
【０１０３】
ところで、部材の品番、製造番号は、一度コンピュータに取り込んでしまえば、データとしてトレーサビリティ情報を管理できるため、組み付け後には、品番や製造番号を記したラベルを部材に貼り付けておく必要がない。
しかし、前述の通り部材製造時に一度は品番、製造番号及びＩＤコードを記載したラベルの発行、貼付、部材組込時のラベルの読み取りなどの作業を行う必要があることから、コストと工数がかかってしまう。
【０１０４】
そこで、この解決策として、部材メーカより、製造番号をシリアル（個体）管理する製造物の製造時に製造物の品番／製造番号と固有となるＩＤ番号（システム内で重複しない番号）を関係付け、システムで管理する。
そして、シリアル（個体）管理する製造物に、関係付けたＩＤ番号のタグを取り付けて出荷し、出荷と併せて取り付けたタグのＩＤ番号と製造物の品番／製造番号の関係情報を通信手段を介して顧客に提供する。通信手段としては、この例が会社間のデータ連携のためインターネット、またはＵＳＢメモリ、記録型ディスク、フレキシブルディスク等の記憶媒体等を用いる。
【０１０５】
タグのＩＤ番号と製造物の品番／製造番号の関係情報を通信手段を介して受信した顧客の側では、製造物に取り付けたＩＤ番号を読み取り、読み取ったＩＤ番号と提供された部材の品番／製造番号との関係から使用部材の品番／製造番号を特定し、製造物と使用部材のトレーサビリティ情報を作成する。
これにより、部材メーカとその部材を使用する顧客（組立メーカ等）との間の部材製造情報の受渡しをすることができる。
【０１０６】
このように、共にトレーサビリティ管理をしている部材メーカと使用する顧客（組立メーカ等）との間では、部材に取付けられたタグのＩＤ番号と、このＩＤ番号と製造物の品番／製造番号との関係情報とを受渡すことで、部材製造時の品番、製造番号及びＩＤコードを記載したラベルの発行、貼付、部材組込時のラベルの読み取りを省略することができ、情報受渡しのコストおよび工数を削減することができる。
【図面の簡単な説明】
【０１０７】
【図１】本発明の一実施形態のトレーサビリティ管理システムの概要構成を示す図である。
【図２】トレーサビリティ管理システムの各サーバの構成を示すブロック図である。
【図３】各工程で製造物を作成したときの作業フローを示す図である。
【図４】各工程で製造物作成時の製造管理サーバの処理を示すフローチャートである。
【図５】製造物構成部材管理テーブルを示す図である。
【図６】製造物品番別製造番号発番台帳を示す図である。
【図７】作業台管理テーブルを示す図である。
【図８】工程トレーサビリティ情報データベースの中に生成された工程トレーサビリティ情報の１つのレコードを示す図である。
【図９】トレーサビリティ管理サーバの工程トレーサビリティ情報連携処理を示すフローチャートである。
【図１０】工程間連携情報と各工程の製造物構成情報と製造物構成部材情報とを示す図である。
【図１１】各工程の作業台で製造物を製造する際に製造管理サーバの処理で工程トレーサビリティ情報が作成されるまでの情報の流れを示す図である。
【図１２】第１製造工程の製造管理サーバの構成を示す図である。
【図１３】第２製造工程の製造管理サーバの構成を示す図である。
【図１４】工程間連携処理の流れを示す図である。
【図１５】第１部材組立工程を示す図である。
【図１６】第２部材組立工程を示す図である。
【図１７】連携処理後にトレーサビリティ管理サーバで保存されている製造物の製品別構成部材製造情報を示すイメージ図である。
【図１８】図１７で説明した具体例を一般化した場合のトレーサビリティ情報の一例を示す図である。
【図１９】製造物をロット管理する場合の各工程の作業フローを示す図である。
【図２０】製造物をロット管理する場合の各工程の作業フローを示す図である。
【図２１】製造物をロット管理する場合の各工程の製造管理サーバの処理を示すフローチャートである。
【図２２】製造物をロット管理する場合、各工程の製造管理サーバの処理によって、工程トレーサビリティ情報が作成されるまでの情報の流れを示す図である。
【符号の説明】
【０１０８】
１…製造管理サーバ、２…トレーサビリティ管理サーバ、３…検索用端末、４…バーコードリーダ（BCリーダ）、５…RFIDリーダ、６…QRコードリーダ、１１…工程トレーサビリティ情報生成部、１２…工程トレーサビリティ情報データベース、１３…インターフェース、１４…発番部、１６…製造物構成部材管理テーブル、１７…作業台管理テーブル、１８…製造物品番別製造番号発番台帳、１９…        部材ロット管理テーブル、２１…インターフェース、２２…連携処理部、２３…トレーサビリティ情報データベース、３１…トレースバック検索部、３２…トレースフォワード検索部。
【図１】
2008299721.tif 000003
【図２】
2008299721.tif 000004
【図３】
2008299721.tif 000005
【図４】
2008299721.tif 000006
【図５】
2008299721.tif 000007
【図６】
2008299721.tif 000008
【図７】
2008299721.tif 000009
【図８】
2008299721.tif 000010
【図９】
2008299721.tif 000011
【図１０】
2008299721.tif 000012
【図１１】
2008299721.tif 000013
【図１２】
2008299721.tif 000014
【図１３】
2008299721.tif 000015
【図１４】
2008299721.tif 000016
【図１５】
2008299721.tif 000017
【図１６】
2008299721.tif 000018
【図１７】
2008299721.tif 000019
【図１８】
2008299721.tif 000020
【図１９】
2008299721.tif 000021
【図２０】
2008299721.tif 000022
【図２１】
2008299721.tif 000023
【図２２】
2008299721.tif 000024